(57)【要約】【課題】複層ガラスのシール部の排水性が向上し、安価な複層ガラス用ガスケットとする。【解決手段】複層ガラス３の下縁部に装着される下の複層ガラス用ガスケット５０は、嵩上げされガラス受け面５０ａを有する底板部５１と、側板部５２とで断面略コ字形状の硬質保持体５３と、側板部５２に設けた軟質シール部５４とを備え、前記複層ガラス３の縦縁部に装着される縦の複層ガラス用ガスケット６０は、底板部６１と側板部６２とで断面略コ字形状の硬質保持部６３と、側板部６２に設けた軟質シール部６４とを備え、前記下の複層ガラス用ガスケット５０のガラス呑み込み寸法と前記縦の複層ガラス用ガラスケット６０のガラス呑み込み寸法と同一で、前記下の複層ガラス用ガスケットと縦の複層ガラス用ガスケットは、接合部において最も内側縁及びガラス受け面と底板部の内側面が合致するように接合され、下の複層ガラス用ガスケットの底板部と複層ガラスのシール部との間に排水用の空隙Ｓを有する。【選択図】図６
2015209711.tif 000002
【特許請求の範囲】
【請求項１】
複層ガラスの下縁部に装着される下の複層ガラス用ガスケットは、幅方向両側部分が嵩上げされガラス受け面を有する底板部と、底板部の幅方向両側にそれぞれ設けた側板部とで断面略コ字形状の硬質保持体と、前記各側板部にそれぞれ設けた軟質シール部とを備え、
前記複層ガラスの縦縁部に装着される縦の複層ガラス用ガスケットは、底板部と、底板部の幅方向両側にそれぞれ設けた側板部とで断面略コ字形状の硬質保持体と、前記各側板部にそれぞれ設けた軟質シール部とを備え、
前記下の複層ガラス用ガスケットのガラス呑み込み寸法と前記縦の複層ガラス用ガラスケットのガラス呑み込み寸法は同一で、
前記下の複層ガラス用ガスケットの接合面と縦の複層ガラス用ガスケットの接合面をそれぞれ４５°とし、
前記下の複層ガラス用ガスケットと前記縦の複層ガラス用ガスケットは、前記接合面同士が接合され、接合部において最も内側縁が合致すると共に、接合部においてガラス受け面と底板部の内側面が合致するように接合したことを特徴とする複層ガラス用ガスケット。
【請求項２】
前記下の複層ガラス用ガスケットの軟質シール部の見え掛り寸法は、前記縦の複層ガラス用ガスケットの軟質シール部の見え掛け寸法よりも大きく、
前記下の複層ガラス用ガスケットの軟質シール部の見え掛り部の外側面は前記側板部の外側面よりも外側に位置し、前記見え掛り部の外側面に凹溝を、前記縦の複層ガラス用ガスケットの軟質シール部の見え掛り寸法と合わせて有し、
前記見え掛り部の凹溝よりも下の部分における凹溝よりも長さ方向端部寄りの端部分の外側面寄りを除去した請求項１記載の複層ガラス用ガスケット。
【請求項３】
複層ガラスの下縁部に装着される下の複層ガラス用ガスケットは、幅方向両側部分が嵩上げされガラス受け面を有する底板部と、底板部の幅方向両側にそれぞれ設けた側板部とで断面略コ字形状の硬質保持体と、前記各側板部にそれぞれ設けた軟質シール部とを備え、
前記複層ガラスの縦縁部に装着される縦の複層ガラス用ガスケットは、底板部と、底板部の幅方向両側にそれぞれ設けた側板部とで断面略コ字形状の硬質保持体と、前記各側板部にそれぞれ設けた軟質シール部とを備え、
前記下の複層ガラス用ガスケットの外周面形状、全高、軟質シール部は、前記縦の複層ガラス用ガスケットの外周面形状、全高、軟質シール部と同一で、前記縦の複層ガラス用ガスケットのガラス呑み込み深さは、前記下の複層ガラス用ガスケットのガラス呑み込み深さよりも大きく、
前記下の複層ガラス用ガスケットの接合面と縦の複層ガラス用ガスケットの接合面をそれぞれ４５°とし、
前記下の複層ガラス用ガスケットと前記縦の複層ガラス用ガスケットは、前記接合面同士が接合され、接合部において最も内側縁が合致すると共に、接合部において底板部の内側面同士が合致するように接合したことを特徴とする複層ガラス用ガスケット。
【請求項４】
前記下の複層ガラス用ガスケットと縦の複層ガラス用ガスケットは、複層ガラスに、当該複層ガラスの下コーナー部がガスケットの接合部よりも縦の複層ガラス用ガスケットの底板部寄りに位置するように装着する請求項３記載の複層ガラス用ガスケット。
【請求項５】
前記下の複層ガラス用ガスケットの接合面は、最も内側縁から底板部のガラス受け面までの長さで、長さ方向の端面と縦の複層ガラス用ガスケットの接合面との間に隙間を有している請求項３又は４記載の複層ガラス用ガスケット。
【請求項６】
複層ガラスの下縁部、縦縁部に、請求項１又は２記載の下の複層ガラス用ガスケット、縦の複層ガラス用ガスケットが装着され、前記複層ガラスの下コーナー部が前記下の複層ガラス用ガスケットと前記縦の複層ガラス用ガスケットの接合部と合致し、
前記複層ガラスの下縁部が前記下の複層ガラス用ガスケットを介装して枠体の下枠材の内向き凹部に装着され、
前記複層ガラスの縦縁部が前記縦の複層ガラス用ガスケットを介装して前記枠体の縦枠材の内向き凹部に装着されていることを特徴とする複層ガラスを備えた建具。
【請求項７】
複層ガラスの下縁部、縦縁部に、請求項２記載の下の複層ガラス用ガスケット、縦の複層ガラス用ガスケットが装着され、
前記枠体の前記下枠材の長さ方向端部は、前記縦枠材の内向き凹部に挿入され、
前記下の複層ガラス用ガスケットの軟質シール部の見え掛り部の凹溝よりも下の部分の端部分は、前記縦枠材の内向き凹部に入り込んでいる請求項６記載の複層ガラスを備えた建具。
【発明の詳細な説明】
【技術分野】
【０００１】
本発明は、複層ガラスを枠体に装着するための複層ガラス用ガスケット、および複層ガラスを枠体に、複層ガラス用ガスケットを介装して装着した複層ガラスを備えた建具に関する。
【背景技術】
【０００２】
グレージングチャンネルと呼ばれる複層ガラス用ガスケットが特許文献１の図５、図６に図示されている。
この複層ガラス用ガスケットは、底板部と両側の側板部とで断面略コ字形の硬質保持体と、硬質保持体の各側板部に設けた軟質シール体とを備えている。
この複層ガラス用ガスケットは、複層ガラスの下部縁に取り付けた状態で、硬質保持体の底板部に複層ガラスの下端面が接する。
このために、複層ガラスのシール部の耐水性に問題がある。
このことを解消し、複層ガラスのシール部の耐水性を向上した複層ガラス用ガスケットが、特許文献２に開示されている。
この複層ガラス用ガスケットは、硬質保持体の底板部の両端の一部を嵩上げした形状で、その底板部の嵩上げした部分に複層ガラスのガラス下端面を接し、複層ガラスのシール部と底板部との間に空間を形成することで、シール部の耐水性を向上している。
【先行技術文献】
【特許文献】
【０００３】
【特許文献１】特開平１１−３３６４３８号公報
【特許文献２】特許第４７７９６８８号公報
【発明の概要】
【発明が解決しようとする課題】
【０００４】
複層ガラス用ガスケットは、複層ガラスの周縁部に装着するので、上縁部に装着する上の複層ガラス用ガスケットと、縦縁部に装着する左右の縦の複層ガラス用ガスケットと、下縁部に装着する下の複層ガラス用ガスケットを備え、各複層ガラス用ガスケットを複層ガラスの上縁部、縦縁部、下縁部の長さに合わせて４５°に切断する。
そして、各複層ガラス用ガスケットを複層ガラスの上縁部、縦縁部、下縁部にそれぞれ装着し、隣接した複層ガラス用ガスケットの切断端面同士を接合することで、複層ガラスの周縁部に複層ガラス用ガスケットを装着している。
【０００５】
特許文献２に開示した複層ガラス用ガスケットは、特許文献１に開示した複層ガラス用ガスケットと比べて高価であるから、特許文献２に開示した複層ガラス用ガスケットを複層ガラスの周縁部に装着すると、特許文献１に開示した複層ガラス用ガスケットを複層ガラスの周縁部に装着したものと比べて著しく高価である。
【０００６】
このことから、本発明者等は、複層ガラスの下縁部に装着する下の複層ガラス用ガスケットを、特許文献２に開示したように底板部の両端を嵩上げしたものとし、複層ガラスの縦縁部、上縁部に装着する縦の複層ガラス用ガスケット、上の複層ガラス用ガスケットを、特許文献１に開示したように底板部を嵩上げしないものとすることで、複層ガラスの耐水性が向上し、安価な複層ガラス用ガスケットとすることを試みた。
しかしながら、下の複層ガラス用ガスケットと縦の複層ガラス用ガスケットは断面形状が異なるので、下の複層ガラス用ガスケットの軟質シール体と縦の複層ガラス用ガスケットの軟質シール体が接合部（コーナー部）で位置がずれたりする等の課題が生じ、実用化できる複層ガラス用ガスケットが得られなかった。
【０００７】
本発明は、前述の課題に鑑みなされたもので、その目的は、複層ガラスのシール部の耐水性が向上すると共に、安価である複層ガラス用ガスケットおよび、その複層ガラス用ガスケットを用いて枠体に複層ガラスを装着した建具とすることである。
【課題を解決するための手段】
【０００８】
本発明の第１の複層ガラス用ガスケットは、複層ガラスの下縁部に装着される下の複層ガラス用ガスケットは、幅方向両側部分が嵩上げされガラス受け面を有する底板部と、底板部の幅方向両側にそれぞれ設けた側板部とで断面略コ字形状の硬質保持体と、前記各側板部にそれぞれ設けた軟質シール部とを備え、
前記複層ガラスの縦縁部に装着される縦の複層ガラス用ガスケットは、底板部と、底板部の幅方向両側にそれぞれ設けた側板部とで断面略コ字形状の硬質保持体と、前記各側板部にそれぞれ設けた軟質シール部とを備え、
前記下の複層ガラス用ガスケットのガラス呑み込み寸法と前記縦の複層ガラス用ガラスケットのガラス呑み込み寸法は同一で、
前記下の複層ガラス用ガスケットの接合面と縦の複層ガラス用ガスケットの接合面をそれぞれ４５°とし、
前記下の複層ガラス用ガスケットと前記縦の複層ガラス用ガスケットは、前記接合面同士が接合され、接合部において最も内側縁が合致すると共に、接合部においてガラス受け面と底板部の内側面が合致するように接合したことを特徴とする複層ガラス用ガスケットである。
【０００９】
第１の複層ガラス用ガスケットにおいては、前記下の複層ガラス用ガスケットの軟質シール部の見え掛り寸法は、前記縦の複層ガラス用ガスケットの軟質シール部の見え掛け寸法よりも大きく、
前記下の複層ガラス用ガスケットの軟質シール部の見え掛り部の外側面は前記側板部の外側面よりも外側に位置し、前記見え掛り部の外側面に凹溝を、前記縦の複層ガラス用ガスケットの軟質シール部の見え掛り寸法と合わせて有し、
前記見え掛り部の凹溝よりも下の部分における凹溝よりも長さ方向端部寄りの端部分の外側面寄りを除去したものにできる。
このようにすれば、下の複層ガラス用ガスケットの軟質シール部の見え掛り部の凹溝よりも上の部分と、縦の複層ガラス用ガスケットの軟質シール部の見え掛り部が、接合部において合致するから、見栄えが良い。
複層ガラス用ガスケットを複層ガラスに装着した状態で、枠体に装着するときに、下の複層ガラス用ガスケットの軟質シール部の凹溝よりも下の部分における端部分が枠体の縦枠材と干渉することがない。
【００１０】
本発明の第２の複層ガラス用ガスケットは、複層ガラスの下縁部に装着される下の複層ガラス用ガスケットは、幅方向両側部分が嵩上げされガラス受け面を有する底板部と、底板部の幅方向両側にそれぞれ設けた側板部とで断面略コ字形状の硬質保持体と、前記各側板部にそれぞれ設けた軟質シール部とを備え、
前記複層ガラスの縦縁部に装着される縦の複層ガラス用ガスケットは、底板部と、底板部の幅方向両側にそれぞれ設けた側板部とで断面略コ字形状の硬質保持体と、前記各側板部にそれぞれ設けた軟質シール部とを備え、
前記下の複層ガラス用ガスケットの外周面形状、全高、軟質シール部は、前記縦の複層ガラス用ガスケットの外周面形状、全高、軟質シール部と同一で、前記縦の複層ガラス用ガスケットのガラス呑み込み深さは、前記下の複層ガラス用ガスケットのガラス呑み込み深さよりも大きく、
前記下の複層ガラス用ガスケットの接合面と縦の複層ガラス用ガスケットの接合面をそれぞれ４５°とし、
前記下の複層ガラス用ガスケットと前記縦の複層ガラス用ガスケットは、前記接合面同士が接合され、接合部において最も内側縁が合致すると共に、接合部において底板部の内側面同士が合致するように接合したことを特徴とする複層ガラス用ガスケットである。
【００１１】
第２の複層ガラス用ガスケットにおいては、前記下の複層ガラス用ガスケットと縦の複層ガラス用ガスケットは、複層ガラスに、当該複層ガラスの下コーナー部がガスケットの接合部よりも縦の複層ガラス用ガスケットの底板部寄りに位置するように装着することができる。
このようにすれば、複層ガラスの縦端面と縦の複層ガラス用ガスケットの底板部の内側面との間の隙間を小さく、または接することができ、複層ガラスが縦の複層ガラス用ガスケットの方向に大きく動くことがない。
【００１２】
第２の複層ガラス用ガスケットにおいては、前記下の複層ガラス用ガスケットの接合面は、最も内側縁から底板部のガラス受け面までの長さで、長さ方向の端面と縦の複層ガラス用ガスケットの接合面との間に隙間を有しているものにできる。
このようにすれば、下の複層ガラス用ガスケットの底板部に流れた水が、長さ方向端部から排水されるので、下側コーナー端部の排水性が向上する。
【００１３】
本発明の複層ガラスを備えた建具は、複層ガラスの下縁部、縦縁部に、請求項１又は２記載の下の複層ガラス用ガスケット、縦の複層ガラス用ガスケットが装着され、前記複層ガラスの下コーナー部が前記下の複層ガラス用ガスケットと前記縦の複層ガラス用ガスケットの接合部と合致し、
前記複層ガラスの下縁部が前記下の複層ガラス用ガスケットを介装して枠体の下枠材の内向き凹部に装着され、
前記複層ガラスの縦縁部が前記縦の複層ガラス用ガスケットを介装して前記枠体の縦枠材の内向き凹部に装着されていることを特徴とする複層ガラスを備えた建具である。
【００１４】
本発明の複層ガラスを備えた建具においては、複層ガラスの下縁部、縦縁部に、請求項２記載の下の複層ガラス用ガスケット、縦の複層ガラス用ガスケットが装着され、
前記枠体の前記下枠材の長さ方向端部は、前記縦枠材の内向き凹部に挿入され、
前記下の複層ガラス用ガスケットの軟質シール部の見え掛り部の凹溝よりも下の部分の端部分は、前記縦枠材の内向き凹部に入り込んでいるものにできる。
このようにすれば、建具を組みたてる際に、下の複層ガラス用ガスケットの軟質シール部の見え掛り部が縦枠材と干渉することがなく、建具を容易に組立できる。
【発明の効果】
【００１５】
本発明の複層ガラス用ガスケットは、下の複層ガラス用ガスケットが嵩上げされたガラス受け面を有しているから複層ガラスのシール部の耐水性が向上し、縦の複層ガラス用ガスケットの底板部は嵩上げされていないから、安価である。
しかも、下の複層ガラス用ガスケットの最も内側縁と縦の複層ガラス用ガスケットの最も内側縁は、接合部において合致するから、見栄えが良い。
【図面の簡単な説明】
【００１６】
【図１】複層ガラスを備えた建具の内観図である。
【図２】図１のＡ−Ａ拡大断面図である。
【図３】下の複層ガラス用ガスケットの断面図である。
【図４】図１のＢ−Ｂ拡大断面図である。
【図５】縦の複層ガラス用ガスケットの断面図である。
【図６】下の複層ガラス用ガスケットと縦の複層ガラス用ガスケットを接合した状態のコーナー部正面図である。
【図７】図１の下枠材と縦枠材を連結したコーナー部の拡大詳細説明図である。
【図８】第２の実施形態を示す下の複層ガラス用ガスケットの断面図である。
【図９】第２の実施形態を示す縦の複層ガラス用ガスケットの断面図である。
【図１０】第２の実施形態を示す下の複層ガラス用ガスケットと縦の複層ガラス用ガスケットを接合した状態のコーナー部の正面図である。
【図１１】第３の実施形態を示す下の複層ガラス用ガスケットと縦の複層ガラス用ガスケットを接合した状態のコーナー部の正面図である。
【発明を実施するための形態】
【００１７】
図１に示すように、本発明の複層ガラスを備えた建具１は、枠体２と、枠体２に装着する複層ガラス３と、複層ガラス３の周縁部に装着する複層ガラス用ガスケット４を備えている。
枠体２は、下枠材２０と左右の縦枠材３０，３０と上枠材４０を方形状に連結したものである。
複層ガラス用ガスケット４は、複層ガラス３の下縁部に装着し、下枠材２０の内向き凹部２０ａに装着される下の複層ガラス用ガスケット５０と、複層ガラス３の左右の縦縁部に装着し、縦枠材３０の内向き凹部３０ａに装着される縦の複層ガラス用ガスケット６０と、複層ガラス３の上縁部に装着し、上枠材４０の内向き凹部４０ａに装着される上の複層ガラス用ガスケット７０を有している。
そして、各複層ガラス用ガスケット５０，６０，７０の長さ方向両端部を接合することで、方形状の複層ガラス用ガスケット４としてある。
【００１８】
図２に示すように、複層ガラス３は一側ガラス３０と他側ガラス３１を間隔を置いて配設し、一側ガラス３０と他側ガラス３１の周縁部をシール部３２でシールしてある。
図２に示すように、下枠材２０は面外方向一側の一側壁２１と、面外方向他側の他側壁２２と、一側壁２１と他側壁２２を連結する連結壁２３とで上に向けて開口した内向き凹部２０ａを有している。
下枠材２０の内向き凹部２０ａより下側に戸車２４が取り付けてある。つまり、実施形態の複層ガラスを備えた建具１は障子である。
実施形態では、下枠材２０は面外方向一側の合成樹脂の一側部材２５と面外方向他側のアルミ合金の他側部材２６を連結して下枠材２０としてある。
前述の説明で、面外方向一側とは、建具を建物に取り付けた状態で室内側に向かう側で、面外方向他側とは室外側に向かう側である。
【００１９】
図３に示すように、下の複層ガラス用ガスケット５０は、複層ガラス３の厚さ方向（面外方向）に向かう幅と、複層ガラス３の長さ方向に向かう長さを有した底板部５１と、底板部５１の幅方向両側に上側を向けて設けた両側の側板部５２，５２とで断面略コ字形状の硬質保持体５３と、硬質保持体５３の各側板部５２の上端部５２ａに設けた軟質シール部５４とを備えている。
底板部５１の幅方向の両側部分５１ａ，５１ａは嵩上げされ、両側部分５１ａ，５１ａの上面は、両側部分５１ａ間の幅方向の中央部分５１ｂの上面よりも高く、底板部５１の両側部分５１ａ，５１ａの上面が下の複層ガラス用ガスケット５０のガラス受け面５０ａで、底板部５１の中央部分５１ｂに排水穴５５が形成してある。
つまり、下の複層ガラス用ガスケット５０の底板部５１は、排水穴５５を形成した部分よりも上方位置にガラス受け面５０ａを有している。
各側板部５２は、底板部５１の両側部分５１ａに上に向けてそれぞれ設けてある。
【００２０】
各軟質シール部５４は、側板部５２の上端部５２ａに設けられた下部分５４ａと、下部分５４ａと連続し、下部分５４ａよりも上方に突出した上部分５４ｂを有している。
上部分５４ｂの内側面５４ｂ−１の上部寄りは内側に向けて折曲し、上部分５４ｂの上部は断面三角形状の内向き突部５６を有している。内側面とは、複層ガラス３を装着する側の面である。
下部分５４ａの内側面５４ａ−１は上部分５４ｂの内側面５４ｂ−１と面一に連続し、下部分５４ａの内側面５４ａ−１と上部分５４ｂの内側面５４ｂ−１は側板部５２の内側面５２ｂよりも内側に位置している。
下部分５４ａの内側面５４ａ−１の下部にシール片５７が設けてある。シール片５７は斜め下方に向かう。
【００２１】
上部分５４ｂの厚さは下部分５４ａの厚さよりも大きく、上部分５４ｂの外側面５４ｂ−２は側板部５２の外側面５２ｃよりも外側に位置している。下部分５４ａの外側面５４ａ−２は側板部５２の外側面５２ｃよりも内側に位置している。外側面とは複層ガラス３を装着する側と反対側の面である。
軟質シール部５４の下部分５４ａの外側面５４ａ−２と上部分５４ｂの下面５４ｂ−３とは下向き鉤形で、その下向き鉤形の部分が、軟質シール部５４の被支持部５８である。
軟質シール部５４の上部分５４ｂの外側面５４ｂ−２における上下中間には見切り縁である凹溝５９が長手方向に連続して有する。
【００２２】
下の複層ガラス用ガスケット５０の全高、つまり底板部５１の外側面５１ｃから軟質部５４の最上部までの寸法はＨ１で、ガラス呑み込み深さ、つまり底板部５１のガラス受け面５０ａと軟質シール部５４の最上部との間の寸法はＨ２（Ｈ１＞Ｈ２）である。
【００２３】
図２に示すように、下の複層ガラス用ガスケット５０を複層ガラス３の下縁部に装着し、ガラス受け面５０ａを一側ガラス３０の下端面、他側ガラス３１の下端面に接し、シール部３２と底板部５１の中央部分５１ｂとの間に空隙Ｓを形成する。
軟質シール部５４の内向き突部５６とシール片５７を一側ガラス３０、他側ガラス３１に接する。
【００２４】
複層ガラス３の下縁部とともに下の複層ガラス用ガスケット５０を図２に示すように、下枠材２０の内向き凹部２０ａ内に押し込むようにして装着し、下枠材２０の一側壁２１の上端である内側端２１ａ、他側壁２２の上端である内側端２２ａを軟質シール部５４の被支持部５８に接して軟質シール部５４を下枠材２０で支持し、側板部５２の上部寄りを一側壁２１と他側壁２２とで支持する。
軟質シール部５４は、上部分５４ｂが下枠材２０よりも内側に突出し、上部分５４ｂが外部から見える見え掛り部である。軟質シール部５４の外部から見える見え掛り寸法はＴ１である。
【００２５】
このようであるから、複層ガラス３の下縁部を下枠材２０の内向き凹部２０ａに下の複層ガラス用ガスケット５０を介装して装着することができる。
複層ガラス３のシール部３２と下の複層ガラス用ガスケット５０の底板部５１との間に空隙Ｓを有するから、複層ガラス３のシール部３２の耐水性が向上する。
【００２６】
図４に示すように、縦枠材３０は面外方向一側の一側壁３１と、面外方向他側の他側壁３２と、一側壁３１と他側壁３２を連結する連結壁３３とで反対側の縦枠材３０に向けて開口した内向き凹部３０ａを有している。
実施形態では、合成樹脂の一側部材３４とアルミ合金の他側部材３５を連結して縦枠材３０としてある。
【００２７】
図５に示すように、縦の複層ガラス用ガスケット６０は、底板部６１と、底板部６１の幅方向両側部に設けた両側板部６２，６２とで断面略コ字形状の硬質保持体６３と、両側板部６２の先端部６２ａに設けた軟質シール部６４を備えている。
底板部６１に排水穴６５が形成してある。
底板部６１と両側板部６２は同一厚さの板状である。
軟質シール部６４は、側板部６２の先端部６２ａに設けた基端部分６４ａと、基端部分６４ａの先端に設けた先端部分６４ｂを有している。
先端部６４ｂは、基端部分６４ａの内側面６４ａ−１よりも内側に突出した断面三角形状の内向き突部６６と、基端部分６４ａの外側面６４ａ−２よりも外側に突出した外向き突部６７とを有している。
基端部分６４ａの内側面６４ａ−１の底板部６１寄りにシール片６８が設けてある。シール片６８は側板部６２の内側面６２ｂよりも内側に突出している。
先端部分６４ｂの外向き突部６７は側板部６２の外側面６２ｃよりも外側に突出している。
基端部分６４ａの外側面６４ａ−２と外向き突部６７は鉤形状で、その鉤形状の部分が軟質シール部６４の被支持部６９である。
【００２８】
図３に示す下の複層ガラス用ガスケット５０の軟質シール部５４と、図５に示す縦の複層ガラス用ガスケット６０の軟質シール部６４は、内側の形状及び長さが同一である。
つまり、内向き突部５６と内向き突部６６が同一断面形状で、シール片５７とシール片６８が同一断面形状である。内向き突部５６とシール片５７との間の長さＬ１と内向き突部６６とシール片６８との間の長さＬ２が同一である。
下の複層ガラス用ガスケット５０の軟質シール部５４の上部分５４ｂにおける凹溝５９よりも上の部分の外面形状と、縦の複層ガラス用ガスケット６０の軟質シール部６４の先端部分６４ｂの外面形状が同一である。
下の複層ガラス用ガスケット５０の軟質シール部５４の被支持部５８と、縦の複層ガラス用ガスケット６０の軟質シール部６４の被支持部６９は同一形状である。
【００２９】
縦の複層ガラス用ガスケット６０の全高、つまり底板部６１の外側面６１ａから軟質シール部６４の最先端までの寸法はＨ３で、下の複層ガラス用ガスケット５０の全高Ｈ１よりも低い。つまり、底板部５１の嵩上げ寸法Ｈ５だけ低い。
縦の複層ガラス用ガスケット６０のガラス呑み込み深さ、つまり底板部６１の内側面６１ｂと軟質シール部６４の最先端までの寸法はＨ４で、図３に示す下の複層ガラス用ガスケット５０のガラス呑み込み深さＨ２と同一である。
【００３０】
図４に示すように、縦の複層ガラス用ガスケット６０を複層ガラス３の縦縁部に装着し、一側ガラス３０、他側ガラス３１の端面を底板部６１の内側面６１ｂに接触、または若干の隙間を空けて対向すると共に、軟質シール部６４の内向き突部６６とシール片６８を一側ガラス３０、他側ガラス３１にそれぞれ押しつける。
【００３１】
複層ガラス３の縦縁部を縦の複層ガラス用ガスケット６０とともに縦枠材３０の内向き凹部３０ａ内に押し込み、縦枠材３０の一側壁３１の内側端３１ａ、他側壁３２の内側端３２ａに被支持部６９に接して軟質シール部６４を縦枠材３０で支持することで、複層ガラス３の縦縁部を縦の複層ガラス用ガスケット６０を介装して縦枠材３０に装着する。
軟質シール部６４は、先端部分６４ｂが縦枠材３０よりも内側に突出し、先端部分６４ｂが外部から見える見え掛り部である。軟質シール部６４の外部から見える見え掛り寸法はＴ２である。
この見え掛り寸法Ｔ２は下の複層ガラス用ガスケット５０の見え掛り寸法Ｔ１よりも小さい。つまり、全高の差（Ｈ１−Ｈ３）だけ小さい。
【００３２】
下の複層ガラス用ガスケット５０と縦の複層ガラス用ガスケット６０の接合について説明する。
下の複層ガラス用ガスケット５０の最も内側縁（軟質シール部５４の最上部）５０−１と、縦の複層ガラス用ガスケット６０の最も内側縁（軟質シール部６４の最先端）６０−１とが接合部で合致するように接合する。
下の複層ガラス用ガスケット５０と縦の複層ガラス用ガスケット６０は全高Ｈ１，Ｈ３が異なるが、ガラス呑み込み深さＨ２，Ｈ４が同一であるので、次のようにする。
図６に示すように、下の複層ガラス用ガスケット５０の長さ方向端部を底板部５１のガラス受け面５０ａと最も内側縁５０−１との間を、切断角度θ１を４５°として切断し、ガラス受け面５０ａと最も内側縁５０−１との間を接合面５０−２とする。接合面５０−２は４５°である。底板部５１のガラス受け面５０ａから外側面５１ｃまでの端面５１ｄを長さ方向と直角とする。
縦の複層ガラス用ガスケット６０は、長さ方向端部を底板部６１の内側面６１ｂと最も内側縁６０−１との間を、切断角度θ２を４５°として切断して接合面６０−２とする。接合面６０−２は４５°である。底板部６１の内側面６１ｂと外側面６１ａとの間の部分の長さ方向の端面６１ｃを長さ方向と直角とする。
下の複層ガラス用ガスケット５０、縦の複層ガラス用ガスケット６０の長さ方向端部の理想の切断角度はθ１，θ２が４５°であるが、実際は切断加工精度から角度はばらつきがあり、切断角度θ１，θ２が４５°以下となると接合部（軟質シール部５４，６４）に隙間ができるので、切断加工時には４５°以上の角度で切断し、切断角度が４５°以下となることがないようにしている。
【００３３】
下の複層ガラス用ガスケット５０の接合面５０−２と、縦の複層ガラス用ガスケット６０の接合面６０−２を接合し、ガラス受け面５０ａと内側面６１ｂを接合部で合致させると共に、最も内側縁５０−１，６０−１同士を合致させる。
【００３４】
このように接合することで、複層ガラス３の下端面３ａと縦端面３ｂとの下コーナー部３ｃを、接合面５０−２，６０−２の接合した下コーナー部に合致することにより、複層ガラス３の下端面３ａとガラス受け面５０ａを接すると共に、複層ガラス３の縦端面３ｂと底板部６１の内側面６１ａを接近することができる。複層ガラス３の縦端面３ｂと底板部６１の内側面６１ａは、直接又は間接に接することが好ましい。
図６では複層ガラス３の下端面３ａとガラス受け面５０ａ及び複層ガラス３の縦端面３ｂと底板部６１の内側面６１ｂは隙間を有して図示してあるが、実際には接する。またはスペーサ等を介在して接する。
【００３５】
図６に示すように、下の複層ガラス用ガスケット５０の見え掛り寸法Ｔ１は、縦の複層ガラス用ガスケット６０の見え掛り寸法Ｔ２よりも大きいが、下の複層ガラス用ガスケット５０の軟質シール部５４の凹溝５９は、最も内側縁５０−１から縦の複層ガラス用ガスケット６０の見え掛り寸法Ｔ２と同一寸法の位置に形成されているので、凹溝５９よりも上の部分５４ｂ−４と縦の複層ガラス用ガスケット６０の軟式シール部６４の見え掛り部分（先端部分６４ｂ）が接合部において連続して見える。
したがって、下の複層ガラス用ガスケット５０と縦の複層ガラス用ガスケット６０の見え掛り部の見栄えが良い。
【００３６】
図７に示すように、下枠材２０と縦枠材３０は、下枠材２０を縦枠材３０の内向き凹部３０ａに挿入し、下枠材２０の長さ方向の端面２０ｃを縦枠材３０の連結壁３３に接して連結される。
下の複層ガラス用ガスケット５０の軟質シール部５４の上部分５４ｂが下枠材２０の内側端２０ｂ、つまり一側壁２１の内側端２１ａ、他側壁２２の内側端２２ａよりも内側に突出して外部から目視され、その上部分５４ｂが見え掛り部である。
縦の複層ガラス用ガスケット６０の軟質シール部６４の先端部分６４ｂが縦枠材３０の内側端３０ｂ、つまり一側壁３１の内側端３１ａ、他側壁３２の内側端３２ａよりも内側に突出して外部から目視され、その先端部分６４ｂが見え掛り部である。
【００３７】
そして、下の複層ガラス用ガスケット５０の軟質シール部５４の上部分５４ｂの凹溝５９よりも上の部分５４ｂ−４と、縦の複層ガラス用ガスケット６０の軟質シール部６４の先端部分６４ｂとが接合部において連続するので、複層ガラスを備えた建具１の下の複層ガラス用ガスケット５０、縦の複層ガラス用ガスケット６０の見え掛り部分の見栄えがよく、建具１の見栄えがよいものとなる。
【００３８】
下枠材２０と縦枠材３０が図７に示すように連結されることで、下の複層ガラス用ガスケット５０の軟質シール部５４の上部分５４ｂにおける凹溝５９よりも下の部分５４ｂ−５が縦枠材３０の内側端３０ｂよりも縦枠材３０の内向き凹部３０ａ内に入り込むことになるが、軟質シール部５４の上部分５４ｂの厚さは大きく、上部分５４ｂの外側面５４ｂ−２は側板部５２の外側面５２ｃよりも外側に突出しているから、上部分５４ｂの凹溝５９よりも下の部分５４ｂ−５の凹溝５９よりも長さ方向端部寄りの端部分５４ｂ−５ａは、縦枠材３０の内側端３０ｂと干渉して縦枠材３０の内向き凹部３０ａ内に入り込むことができない。
【００３９】
図６、図７に斜線で示すように、下の複層ガラス用ガスケット５０の軟質シール部５４の上部分５４ｂの凹溝５９よりも下の部分５４ｂ−５における縦枠材３０の内向き凹部３０ａ内に入り込む端部分５４ｂ−５ａの外側面５４ｂ−２寄りを、図３に仮想線で示す切断線ａに沿って切断することで、入り込む端部分５４ｂ−５ａの外側面寄りを除去し、残存した部分が下部分５４ａと同一幅とする。
これにより、上部分５４ｂの凹溝５９よりも下の部分５４ｂ−５の端部分５４ｂ−５ａを縦枠材３０の内向き凹部３０ａ内に挿入することができる。
【００４０】
上の複層ガラス用ガスケット７０は、図示を省略するが、縦の複層ガラス用ガスケット６０と同一で、長さ方向端部を４５°に切断することで、従来と同様に接合される。
【００４１】
複層ガラスを備えた建具は、次のようにして組み立てることができる。
複層ガラス３の周縁部に、下の複層ガラス用ガスケット５０、縦の複層ガラス用ガスケット６０、上の複層ガラス用ガスケット７０を装着して接合した後に、複層ガラス３の下縁部を下の複層ガラス用ガスケット５０を介装して下枠材２０の内向き凹部２０ａ内に挿入し、複層ガラス３の上縁部を上の複層ガラス用ガスケット７０を介装して上枠材４０の内向き凹部４０ａ内に挿入する。
複層ガラス３の縦縁部を縦の複層ガラス用ガスケット６０を介装して縦枠材３０の内向き凹部３０ａ内に挿入し、これと同時に下枠材２０、上枠材４０の長さ方向端部を縦枠材３０の内向き凹部３０ａ内に挿入し、縦枠材３０から下枠材２０、上枠材４０にねじを螺合して縦枠材３０と下枠材２０、上枠材４０を連結して枠体２を組み立てることで、建具とする。
【００４２】
次に、第２の実施形態を説明する。
複層ガラスを備えた建具は、図１に示す建具１と同様であるので、建具の内観図の図示を省略し、各部部材の符号を同一として説明する。
図８に示すように、下の複層ガラス用ガスケット５０は、断面略コ字形状の硬質保持体５３と、軟質シール部５４を有している。硬質保持体５３の形状は第１の実施形態の下の複層ガラス用ガスケット５０の硬質保持体５３の形状と同様に、嵩上げしてガラス受け面５０ａを有する底板部５１と、両側板部５２を有している。
【００４３】
下の複層ガラス用ガスケット５０の軟質シール部５４は、第１の実施形態の縦の複層ガラス用ガスケット６０の軟質シール部６４と同様に、幅の狭い下部分５４ａと、幅の広い上部分５４ｂとを有している。
下部分５４ａの内側面５４ａ−１の下部にシール片５７を有している。
下部分５４ａの外側面５４ａ−２は、側板部５２の外側面５２ｃよりも内側に位置している。
上部分５４ｂは、下部分５４ａの内側面５４ａ−１よりも内側に突出した内向き突部８０、下部分５４ａの外側面５４ａ−２よりも外側に突出した外向き突部８１を有し、上部分５４の幅は下部分５４ａの幅よりも大きい。
上部分５４ｂ（外向き突部８１）の下面５４ｂ−３と下部分５４ａの外側面５４ａ−２は鉤形状に連続し、鉤形状の部分が軟質シール部５４の被支持部８２を形成している。これにより、上部分５４ｂが見え掛り部で、被支持部８２と上部分５４ｂの最上端との間の寸法が見え掛り寸法Ｔ１である。
【００４４】
図９に示すように、縦の複層ガラス用ガスケット６０は、第１の実施形態の縦の複層ガラス用ガスケット６０と同一形状で、符号を同一として説明を省略する。
下の複層ガラス用ガスケット５０の全高Ｈ１、軟質シール部５４の長さＬ１は、縦の複層ガラス用ガスケット６０の全高Ｈ３、軟質シール部６４の長さＬ２は同一である。
下の複層ガラス用ガスケット５０のガラス呑み込み深さＨ２は、縦の複層ガラス用ガスケット６０のガラス呑み込み深さＨ４よりも小さい。
下の複層ガラス用ガスケット５０の見え掛り寸法Ｔ１は、縦の複層ガラス用ガスケット６０の見え掛り部の寸法Ｔ２と等しい。
【００４５】
つまり、下の複層ガラス用ガスケット５０と縦の複層ガラス用ガスケット６０は、断面コ字形状の硬質保持体５３，６３と軟質シール部５４，６４とを有し、底板部５１，６１の外側面５１ｃ，６１ａの形状、側板部５２，６２の外側面５２ｃ，６２ｃの形状、軟質シール部５４，６４の外側面の形状である外周側面の形状が同一で、全高Ｈ１，Ｈ３及び見え掛り寸法Ｔ１，Ｔ２が同一で、ガラス呑み込み深さＨ１，Ｈ２は異なる。
そして、下の複層ガラス用ガスケット５０の底板部５１は両側が嵩上げされ、底板部５１の両側にガラス受け面５０ａを有している。
【００４６】
下の複層ガラス用ガスケット５０と縦の複層ガラス用ガスケット６０は図１０に示すように接合される。
下の複層ガラス用ガスケット５０の長手方向端部を４５°に切断し、接合面５０−２を４５°とする。
縦の複層ガラス用ガスケット６０の長手方向端部を４５度に切断し、接合面６０−２を４５°とする。
下の複層ガラス用ガスケット５０の接合面５０−２は、最も内側縁５０−１から底板部５１の内側面５１ｅまでの長さである。
縦の複層ガラス用ガスケット６０の接合面６０−２は、最も内側縁６０−１から底板部６１の内側面６１ｂまでの長さである。
下の複層ガラス用ガスケット５０と縦の複層ガラス用ガスケット６０は、接合面５０−２と接合面６０−２を接合することで、最も内側縁５０−１と最も内側縁６０−１が接合部で合致すると共に、底板部５１の内側面５１ｅと底板部６１の内側面６１ｂが接合部で合致するようにして接合する。
【００４７】
このように接合することで、最も内側縁５０−１と最も内側縁６０−１、見え掛り部（軟質シール部５４の上部分５４ｂ）と見え掛り部（軟質シール部６４の先端部分６４ｂ）がそれぞれ接合部で合致する。
【００４８】
下の複層ガラス用ガスケット５０、縦の複層ガラス用ガスケット６０は複層ガラス３の下縁部、縦縁部に、第１の実施形態と同様に装着され、複層ガラス３のシール部３２と、下の複層ガラス用ガスケット５０の底板部５１のガラス受け面５０ａ間との部分との間に空隙Ｓが形成される。
【００４９】
第２の実施形態は、縦の複層ガラス用ガスケット６０のガラス呑み込み深さＨ４が下の複層ガラス用ガスケット５０のガラス呑み込み深さＨ２よりも大きく、複層ガラス３の下端面３ａと縦端面３ｂとの下コーナー部３ｃがガスケット接合部に位置すると、複層ガラス３の縦端面３ｂと縦の複層ガラス用ガスケット６０の底板部６１の内側面６１ｂとが大きく離れる。
このために、複層ガラス３を枠体２に装着した建具を開閉移動などすることで、複層ガラス３が底板部６１の内側面６１ｂに当るまで大きく動くことがある。
【００５０】
第２の実施形態は、複層ガラス３の下のコーナー部３ｃを、ガスケット接合部よりも縦の複層ガラス用ガスケット６０の底板部６１寄りとし、底板部６１の内側面６１ｂと複層ガラス３の縦端面３ｂを接近してある。好ましくは直接または間接に接する。
これにより、複層ガラス３を装着した建具を開閉移動などしたときに、複層ガラス３が大きく動くことがない。
【００５１】
第２の実施形態においても上の複層ガラス用ガスケット７０は縦の複層ガラス用ガスケット６０と同一である。
【００５２】
次に、第３の実施形態を説明する。
この実施形態は、下の複層ガラス用ガスケット５０、縦の複層ガラス用ガスケット６０は第２の実施形態と同一である。
この実施形態と第２の実施形態の相違は、下の複層ガラス用ガスケット５０と縦の複層ガラス用ガスケット６０の接合部の形状である。
つまり、図１１に示すように、下の複層ガラス用ガスケット５０の接合部５０−２を、最も内側縁５０−１から底板部５１のガラス受け面５０ａまでの長さとし、底板部５１のガラス受け面５０ａから外側面５１ｃまでの間の長さ方向の端面５１ｄを、ガラス受け面５０ａと直角になるようにしてある。
縦の複層ガラス用ガスケット６０の接合面６０−２は、最も内側縁６０−１から底板部６１の内側面６１ｂまでの長さである。
【００５３】
このようにすることで、底板部５１の長さ方向の端面５１ｄと縦の複層ガラス用ガスケット６０の接合面６０−２との間に隙間ｂが形成される。そして、複層ガラス３のシール部３２と底板部５１の内側面５１ｅとの間の空隙Ｓが、隙間ｂから外部に開口して連通する。
したがって、空隙Ｓに溜まった水、縦の複層ガラス用ガスケット６０から流れた水等が隙間ｂから排水され、下側コーナー端部の排水性が向上する。
【００５４】
各実施形態は建具を障子としたが、建具は嵌め殺し窓などとすることができる。
【符号の説明】
【００５５】
１…建具、２…枠体、３…複層ガラス、３ｃ…下コーナー部、４…複層ガラス用ガスケット、２０…下枠材、２０ａ…内向き凹部、３０…縦枠材、３０ａ…内向き凹部、５０…下の複層ガラス用ガスケット、５０−１…最も内側縁、５０−２…接合面、５０ａ…ガラス受け面、５１…底板部、５２…側板部、５３…硬質保持体、５４…軟質シール部、５９…凹溝、６０…縦の複層ガラス用ガスケット、６０−１…最も内側縁、６０−２…接合面、６１…底板部、６２…側板部、６３…硬質保持体、６４…軟質シール部。
【図１】
2015209711.tif 000003
【図２】
2015209711.tif 000004
【図３】
2015209711.tif 000005
【図４】
2015209711.tif 000006
【図５】
2015209711.tif 000007
【図６】
2015209711.tif 000008
【図７】
2015209711.tif 000009
【図８】
2015209711.tif 000010
【図９】
2015209711.tif 000011
【図１０】
2015209711.tif 000012
【図１１】
2015209711.tif 000013